(57)【要約】【課題】蓋部を閉鎖したときに、手の感覚と聴覚とで蓋部が閉鎖したことを確実に確認することができるキャリッジを提供すること。【解決手段】カバー装置とキャリッジ本体部のいずれか一方には凸部が形成され、前記カバー装置と本体部のいずれか他方には、前記カバー装置の閉鎖時に前記凸部と対応する位置に前記凸部が係合する被係合部が形成され、前記カバー装置の閉鎖時に、前記凸部が前記被係合部に対して圧接するように係合し、該圧接係合によりクリック感及びクリック音を生じるように構成されていることを特徴とするものである。【選択図】図３
2006007734.tif 000002
【特許請求の範囲】
【請求項１】
インクカートリッジを本体部の収容部内に収容した状態で、カバー装置によりインクカートリッジの取り出しを規制するキャリッジであって、
前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記カバー装置には前記カバー装置の閉鎖時に前記第１方向に突出している突起部が形成され、前記本体部には前記突起部と対応する位置に、前記回動軸が前記付勢手段の付勢力に抗して前記第２方向に一時的に移動後に前記突起部と係合可能な係合凹部が形成されていることを特徴とするキャリッジ。
【請求項２】
インクカートリッジを本体部の収容部内に収容した状態で、カバー装置によりインクカートリッジの取り出しを規制するキャリッジであって、
前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記本体部には前記カバー装置の閉鎖時に前記第２方向に突出している突起部が形成され、前記カバー装置には前記突起部と対応する位置に、前記回動軸が前記付勢手段の付勢力に抗して前記第２方向に一時的に移動後に前記突起部と係合可能な係合凹部が形成されていることを特徴とするキャリッジ。
【請求項３】
インクカートリッジを本体部の収容部内に収容した状態で、カバー装置によりインクカートリッジの取り出しを規制するキャリッジであって、
前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記カバー装置には前記カバー装置の閉鎖時に前記第１方向に突出している突起部が形成され、前記本体部には前記突起部と対応する位置に、前記回動軸が前記付勢手段の付勢力に抗して前記第２方向に一時的に移動後に前記突起部と係合可能な係合凹部が形成されており、
前記カバー装置と本体部のいずれか一方には凸部が形成され、前記カバー装置と本体部のいずれか他方には、前記カバー装置の閉鎖時に前記凸部と対応する位置に前記凸部が係合する被係合部が形成され、前記カバー装置の閉鎖時に、前記凸部が前記被係合部に対して圧接するように係合し、該圧接係合によりクリック感及びクリック音を生じるように構成されていることを特徴とするキャリッジ。
【請求項４】
インクカートリッジを本体部の収容部内に収容した状態で、カバー装置によりインクカートリッジの取り出しを規制するキャリッジであって、
前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記本体部には前記カバー装置の閉鎖時に前記第１方向に突出している突起部が形成され、前記カバー装置には前記突起部と対応する位置に、前記回動軸が前記付勢手段の付勢力に抗して前記第２方向に一時的に移動後に前記突起部と係合可能な係合凹部が形成されており、
前記カバー装置と本体部のいずれか一方には凸部が形成され、前記カバー装置と本体部のいずれか他方には、前記カバー装置の閉鎖時に前記凸部と対応する位置に前記凸部が係合する被係合部が形成され、前記カバー装置の閉鎖時に、前記凸部が前記被係合部に対して圧接するように係合し、該圧接係合によりクリック感及びクリック音を生じるように構成されていることを特徴とするキャリッジ。
【請求項５】
請求項１〜４のいずれか１項において、前記付勢手段はバネであることを特徴とするキャリッジ。
【請求項６】
請求項３または４のいずれか１項において、前記カバー装置を閉鎖する際に、前記凸部が最初に前記被係合部に当接する面と、前記被係合部が最初に前記凸部に当接する面は、互いに案内できるような斜面となっていることを特徴とするキャリッジ。
【請求項７】
インクカートリッジを本体部の収容部内に収容した状態で、カバー装置によりインクカートリッジの取り出しを規制するキャリッジを備えた記録装置であって、前記キャリッジは請求項１〜６のいずれか１項に記載のキャリッジであることを特徴とする記録装置。
【請求項８】
液体カートリッジを本体部の収容部内に収容した状態で、カバー装置により液体カートリッジの取り出しを規制するキャリッジを備えた液体噴射装置であって、前記キャリッジは請求項１〜６のいずれか１項に記載のキャリッジであることを特徴とする液体噴射装置。
【発明の詳細な説明】
【技術分野】
【０００１】
本発明は、記録装置に関する。更に本発明は、インク等の液体をそのヘッドから吐出して被噴射媒体に噴射を実行するインクジェット式記録装置などの液体噴射装置に関するものである。
【０００２】
ここで液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
特許文献１には、キャリッジのカートリッジホルダが回動して開閉する蓋部を備え、インクカートリッジの装着時に、まず蓋部を開放した状態で蓋部の基部に設けた係合部にインクカートリッジが係止して初期装着位置にインクカートリッジを装着させ、次いで蓋部を閉じることによって本装着位置に移行させてインクカートリッジを装着する機構を備えたキャリッジが開示されている。このキャリッジには回動式の蓋部に突起が形成されており、蓋部を閉鎖したときにこの突起が本体側の凹部に係止して蓋部が確実に閉鎖できるような構造となっている。
【０００５】
【特許文献１】特開２００２−２５４６７０号公報
【発明の開示】
【発明が解決しようとする課題】
【０００６】
しかし、このような構成を備える蓋部では、突起が凹部に嵌り込むときに、クリック感が小さく、使用者が蓋部を閉じたときに、蓋部が確実に閉まったか否かを手の感覚と耳で確認することがほとんどできなかった。
【０００７】
本発明の目的は、蓋部を閉鎖したときに、手の感覚と聴覚とで蓋部が閉鎖したことを確実に確認することができるキャリッジ、これを備える記録装置及び液体噴射装置を提供することである。
【課題を解決するための手段】
【０００８】
上記課題を達成するため、本発明の第１の態様に係るキャリッジは、インクカートリッジを本体部の収容部内に収容した状態で、カバー装置によりインクカートリッジの取り出しを規制するキャリッジであって、前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記カバー装置には前記カバー装置の閉鎖時に前記第１方向に突出している突起部が形成され、前記本体部には前記突起部と対応する位置に、前記回動軸が前記付勢手段の付勢力に抗して前記第２方向に一時的に移動後に前記突起部と係合可能な係合凹部が形成されていることを特徴とするものである。
【０００９】
本発明の第１の態様によれば、カバー装置の回動軸に付勢手段が作用してカバー装置を常時第１方向に付勢しているから、カバー装置を閉鎖する際に、回動軸が一時的に第２方向に回避して突起部と係合凹部とが係合する。この際に、付勢手段の付勢力を大きく設定しておくことで、その復帰力も大きくなり、突起部と係合凹部とが瞬時に係合する。この瞬時の係合によりクリック感及びクリック音を生じ、使用者はカバー装置が確実に閉鎖したことを認識することができる。
【００１０】
また、本発明の第２の態様に係るキャリッジは、インクカートリッジを本体部の収容部内に収容した状態で、カバー装置によりインクカートリッジの取り出しを規制するキャリッジにおいて、前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記本体部には前記カバー装置の閉鎖時に前記第２方向に突出している突起部が形成され、前記カバー装置には前記突起部と対応する位置に、前記回動軸が前記付勢手段の付勢力に抗して前記第２方向に一時的に移動後に前記突起部と係合可能な係合凹部が形成されていることを特徴とするものである。
【００１１】
本発明の第２の態様によれば、カバー装置の回動軸に付勢手段が作用してカバー装置を常時第１方向に付勢しているから、カバー装置を閉鎖する際に、回動軸が一時的に第２方向に回避して突起部と係合凹部とが係合する。この際に、付勢手段の付勢力を大きく設定しておくことで、その復帰力も大きくなり、突起部と係合凹部とが瞬時に係合する。この瞬時の係合によりクリック感及びクリック音を生じ、使用者はカバー装置が確実に閉鎖したことを認識することができる。
【００１２】
また、本発明の第３の態様に係るキャリッジは、インクカートリッジを本体部の収容部内に収容した状態で、カバー装置によりインクカートリッジの取り出しを規制するキャリッジにおいて、前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記カバー装置には前記カバー装置の閉鎖時に前記第１方向に突出している突起部が形成され、前記本体部には前記突起部と対応する位置に、前記回動軸が前記付勢手段の付勢力に抗して前記第２方向に一時的に移動後に前記突起部と係合可能な係合凹部が形成されており、前記カバー装置と本体部のいずれか一方には凸部が形成され、前記カバー装置と本体部のいずれか他方には、前記カバー装置の閉鎖時に前記凸部と対応する位置に前記凸部が係合する被係合部が形成され、前記カバー装置の閉鎖時に、前記凸部が前記被係合部に対して圧接するように係合し、該圧接係合によりクリック感及びクリック音を生じるように構成されていることを特徴とするものである。
【００１３】
本態様によれば、凸部が被係合部に圧接するように係合するため、すなわち、圧接により、カバー装置本体に弾性変形が生じ、該弾性変形により蓄積された弾発力が前記係合によって一気に解放される。これによって、該カバー装置の閉鎖時に前記凸部が被係合部に瞬時に衝突するようになり、もってクリック感及びクリック音を生じ、使用者はカバー装置が確実に閉鎖したことを認識することができる。また、前記突起部及び係合凹部の係合とは別にこのような構造を設けることで、前記付勢手段の付勢力を強くしてクリック感およびクリック音を増大させる必要がなくなり、もってカバー装置の開放時に大きな力が不要となる。更に、該突起部と係合凹部の摩耗の進行を大幅に遅らせることが可能となる。
【００１４】
また、本発明の第４の態様に係るキャリッジは、インクカートリッジを本体部の収容部内に収容した状態で、カバー装置によりインクカートリッジの取り出しを規制するキャリッジにおいて、前記カバー装置が回動軸の周囲で回動して開閉可能であり、前記回動軸の一端側は第１方向と、第１方向と反対の第２方向に僅かに移動可能であり、該回動軸の一端側には付勢手段が作用して回動軸を常時第１方向へ付勢しており、前記本体部には前記カバー装置の閉鎖時に前記第１方向に突出している突起部が形成され、前記カバー装置には前記突起部と対応する位置に、前記回動軸が前記付勢手段の付勢力に抗して前記第２方向に一時的に移動後に前記突起部と係合可能な係合凹部が形成されており、前記カバー装置と本体部のいずれか一方には凸部が形成され、前記カバー装置と本体部のいずれか他方には、前記カバー装置の閉鎖時に前記凸部と対応する位置に前記凸部が係合する被係合部が形成され、前記カバー装置の閉鎖時に、前記凸部が前記被係合部に対して圧接するように係合し、該圧接係合によりクリック感及びクリック音を生じるように構成されていることを特徴とするものである。
【００１５】
本態様によれば、前記第３の態様と同様に、カバー装置の閉鎖時に前記凸部が被係合部に瞬時に衝突するようになり、もってクリック感及びクリック音を生じ、使用者はカバー装置が確実に閉鎖したことを認識することができる。また、前記突起部及び係合凹部の係合とは別にこのような構造を設けることで、前記付勢手段の付勢力を強くしてクリック感およびクリック音を増大させる必要がなくなり、もってカバー装置の開放時に大きな力が不要となる。更に、該突起部と係合凹部の摩耗の進行を大幅に遅らせることが可能となる。
【００１６】
また、本発明の第５の態様に係るキャリッジは、上記第１〜第４のいずれかの態様において、前記付勢手段はバネであることを特徴とするものである。本態様によれば、バネの付勢力により確実に上記作用効果を生じることができる。
【００１７】
また、本発明の第６の態様に係るキャリッジは、上記第３または４の態様において、前記カバー装置を閉鎖する際に、前記凸部が最初に前記被係合部に当接する面と、前記被係合部が最初に前記凸部に当接する面は、互いに案内できるような斜面となっていることを特徴とするものである。本態様によれば、カバー装置を閉鎖する際に、当初凸部と被係合部とが係合しやすく、その後、凸部と被係合部とが圧接するように衝突し、クリック感及びクリック音を生じる。
【００１８】
また、本発明の第７の態様に係る記録装置は、インクカートリッジを本体部の収容部内に収容した状態で、カバー装置によりインクカートリッジの取り出しを規制するキャリッジを備えた記録装置であって、前記キャリッジは上記第１〜第６のいずれかの態様のキャリッジであることを特徴とするものである。本態様によれば、使用者がキャリッジのカバー装置を完全に閉鎖しないで記録作業が行われることが防止されるので、安全な記録装置を提供できる。
【００１９】
また、本発明の第８の態様に係る液体噴射装置は、液体カートリッジを本体部の収容部内に収容した状態で、カバー装置により液体カートリッジの取り出しを規制するキャリッジを備えた液体噴射装置であって、前記キャリッジは上記第１〜第６のいずれかの態様のキャリッジであることを特徴とするものである。
【発明を実施するための最良の形態】
【００２０】
以下、本願発明の実施の形態を図面に基づいて説明する。図１は本発明に係るキャリッジのカバー装置を適用した記録装置１を示す斜視図であり、図２は記録装置の上部を開放した状態を示す斜視図であり、図３はキャリッジの拡大斜視図であり、図４の（ａ）はキャリッジのカバー装置を開けた状態の上面図、（ｂ）は同側面図であり、図５の（ａ）はキャリッジのカバー装置を閉じる直前の状態の上面図、（ｂ）は同側面図であり、図６の（ａ）はキャリッジの蓋部を閉じた状態の上面図、（ｂ）は同側面図である。
【００２１】
図１に示す如く記録装置１は、プリンタ機能に加えてスキャナ機能を備えるタイプであり、装置本体３と、装置本体３の上面側に位置するスキャナユニット５と、スキャナユニット５の後方側に設けられる給送部７とを備えて成る。尚、本明細書において、前後左右の語を使用する場合には、図１中で定義した矢印の方向とする。また本明細書の後方向は第１方向に相当し、前方向は第２方向に相当する。
【００２２】
装置本体３は、主としてインクジェット式プリンタの機能、即ち給送部７から給送された被記録媒体Ｐに記録を行う記録ヘッド８（液体噴射ヘッドに相当する）、記録ヘッド８を支持しながら主走査方向に走査可能なキャリッジ４及び被記録媒体Ｐを給送および排出するための種々のローラ６からなる駆動系を備えている。図１中、符号９で示す部材は被記録媒体の排出受け部を示し、この排出受け部９は、プリンタ機能の使用時に手前側にほぼ９０°回動した状態で記録後の被記録媒体を受けるようにして使用する。装置本体３の上面左側には操作パネル１１が設けられており、スキャナユニット５を使用したスキャニング機能、装置本体３での記録機能及びスキャニングした画像を記録する機能などがこの操作パネル１１で操作可能となっている。
【００２３】
スキャナユニット５は、回動軸１３を中心に上方へ回動することにより開閉可能な蓋体１５を備え、蓋体１５の下側にはスキャニングを行う際に対象となる印刷物等を載置するガラス載置面（図示せず）が形成されている。更に、ガラス載置面の下側にはスキャニング装置（図示せず）が設けられている。スキャナユニット５は、それ自体が全体として回動軸１３を中心に上方へ回動することで装置本体３の上部が開放し、キャリッジ等の記録部（液体噴射装置では液体噴射部に相当する）の部材のメンテナンス等ができるようになっている。
【００２４】
図１に示す如く給送部７は、不使用時には蓋体１９によって閉鎖されており、蓋体１９を図１に示す如く後方側へ回動させることにより給送部７が開放状態となり、また一定角度位置で固定することで媒体サポート２３として機能するようになっている。図２に示す如く媒体サポート２３には、被記録媒体Ｐの幅寸法に合わせて可動なエッジガイド２５が設けられている。蓋体１９が開放状態にある時、給送部７には給送口２７が形成され、媒体サポート２３にストックされた被記録媒体Ｐが図示しない送り機構により一枚ずつ給送口２７から記録部へ送り出されるようになっている。
【００２５】
図３に示す如く、キャリッジ４の背面側にはキャリッジ支持部２９が形成されており、キャリッジ支持部２９は、スライド軸３１に対して滑らかに摺動できるように支持されている。装置本体３には図示しない駆動モータが取り付けられ、該駆動モータの出力軸に設けられる駆動プーリと、反対側に設けられる従動プーリとの間に歯付き無端ベルト３３が巻回されている。歯付き無端ベルト３３は、図４（ａ）に示す如くキャリッジ支持部２９の上面に形成される固定部３５においてキャリッジ４に接続されており、駆動モータの正逆回転に伴い、歯付き無端ベルト３３が時計回り又は反時計回りに周回運動をすることにより、キャリッジ４が主走査方向で往復運動することができる。
【００２６】
キャリッジ４は、本体部３７と、本体部３７に対して手前側に回動可能に取り付けられるカバー装置３９とを備え、本体部３７内には一例として４個のインクカートリッジＣを収容するための収容部４１が形成されている。収容部４１にインクカートリッジＣを収容した状態でカバー装置３９を図３に示すように閉じたとき、インクカートリッジＣは取り出しできないようになっている。
【００２７】
カバー装置３９は、キャリッジ４の手前側上部に形成された回動軸４３の周囲で回動可能である。回動軸４３の左端側は前後方向に僅かに移動可能に支持されており、回動軸４３の左端部にはバネ部材４５が設けられ、バネ部材４５が回動軸４３に当接することで回動軸４３を常時後方（第１方向）へ付勢している。図３に示す如く、カバー装置３９の左側部には凹状に切り欠かれた切り欠き部４７が形成されており、この切り欠き部４７に本体部３７から立ち上がるように形成された立ち上げ部４９が整合して嵌り込む構成となっている。
【００２８】
切り欠き部４７の前側に形成された後向きの面５１には、後方側へ延びる突起部５３が形成されており、一方立ち上げ部４９の前向きの面５５（面５１と対向する）には、突起部５３が係合するための係合凹部５７が突起部５３と対応する位置に形成されている。突起部５３は、カバー装置３９が閉鎖したときに係合凹部５７に係合するようになっており、このときバネ部材４５が回動軸４３を後方へ付勢していることで、突起部５３の係合凹部５７への係合がより強固となり、カバー部材３９の閉鎖状態を確実に維持することができる。またバネ部材４５のバネ定数を大きくすることにより、突起部５３が係合凹部５７に係合する際にクリック感及びクリック音を生じさせることができるようになっている。
【００２９】
カバー装置３９の切り欠き部４７の側面５９には、切り欠き部４７内に僅かに突出している凸部６１が形成されており、この凸部６１は、カバー装置３９が閉鎖している時には、立ち上げ部４９の内面６３の被係合部６０に圧接するようになっている。またカバー装置３９が完全に閉鎖していない状態では、凸部６１は、立ち上げ部４９の内面６３の延長線よりも外側に僅かに突出するように形成されている。またカバー装置を閉鎖する際に、凸部６１が最初に被係合部６０に当接する凸部６１の下面６２と、カバー装置を閉鎖する際に、被係合部６０が最初に凸部６１に当接する内面６３の上部６４は共に、図５（ａ）に示す如く互いに案内できるような斜面となっている。
【００３０】
このような凸部６１を形成することは本発明の特徴的構成の一つであり、これによりカバー装置３９の閉鎖時に凸部６１が被係合部６０に圧接するように係合する。すなわち、該圧接により、カバー装置３９本体に弾性変形が生じ、該弾性変形により蓄積された弾発力が前記係合によって一気に解放される。これによって、該カバー装置３９の閉鎖時に前記凸部６４が被係合部６０に瞬時に衝突するようになり、もってクリック感及びクリック音を生じ、使用者はカバー装置３９が確実に閉鎖したことを認識することができる。
【００３１】
以下、この点をカバー装置３９の開閉動作の作用とともに図４〜図６を参照しながら詳しく説明する。まずインクカートリッジＣを収容部４１から取り出したり、セットする場合には、図４（ｂ）に示す如く、カバー装置３９を手前側に開けた状態とする。インクカートリッジＣを収容部４１内に収容し、カバー装置３９を閉鎖する場合には、まず図５に示す如く、突起部５３が立ち上げ部４９の前向きの面５５の最上部６５に当接する位置までは、カバー装置３９が自由に回動することができる。
【００３２】
図５に示す状態からカバー装置３９を矢印６７の方向に押し込むと、回動軸４３がバネ部材４５の付勢力に抗して若干図５（ｂ）の右方向に移動するため、突起部５３が面５５の最上部６５を通過して図６（ｂ）に示す如く係合凹部５７に係合し、カバー装置３９が閉鎖する状態となる。また切り欠き部４７の側面５９に凸部６１が形成されているため、カバー装置３９が図５（ｂ）の状態から図６（ｂ）の状態に移行する時に、凸部６１の斜めの下面６２が内面６３の斜めの上部６４に案内されるようにして、カバー装置３９が一時的に図５（ａ）の矢印６９の方向に移行し、そのまま凸部６１が被係合部６０に係合する。このとき凸部６１は矢印６９と反対方向への付勢力を受けているので、凸部６１が被係合部６０に瞬間的に衝突するようになり、クリック感及びクリック音を生じる。そのため使用者は、クリック感を指先の感触で感じ且つクリック音を耳で聞くことにより、カバー装置３９が確実に閉鎖したことを確認することができる。
【００３３】
因みに本実施形態において、バネ部材４５のバネ定数を高めることにより、突起部５３が係合凹部５７に勢いよく係合することでクリック感及びクリック音を生じさせることが可能であることについて既述したが、このような方法を採用すると、閉鎖しているカバー装置３９を開けるときに使用者が大きな力でカバー装置３９を上方へ上げなければならないため、別に凸部６１を設けてクリック感及びクリック音を生じるようにすることが好ましい。
【００３４】
また上記実施形態では、いずれもカバー部材３９側に突起部５３と凸部６１を形成しているが、これらのいずれか一方または両方を本体部３７側に形成し、これに対応して係合凹部５７または被係合部６０をカバー部材３９側に形成するようにしても構わない。
【図面の簡単な説明】
【００３５】
【図１】本発明に係るキャリッジのカバー装置を適用した記録装置を示す斜視図である。
【図２】記録装置の上部を開放した状態を示す斜視図である。
【図３】キャリッジの拡大斜視図である。
【図４】（ａ）はカバー装置を開けた状態の上面図、（ｂ）は同側面図である。
【図５】（ａ）はカバー装置を閉じる直前の状態の上面図、（ｂ）は同側面図である。
【図６】（ａ）はカバー装置を閉じた状態の上面図、（ｂ）は同側面図である。
【符号の説明】
【００３６】
１  スキャナ付き記録装置、３  装置本体、４  キャリッジ、５  スキャナユニット、
６  ローラ、７  給送部、８  記録ヘッド、９  排出受け部、１１  操作パネル、
１３  回動軸、１５  蓋体、１７  回動軸、１９  蓋体、２３  媒体サポート、
２７  給送口、２９  キャリッジ支持部、３１  スライド軸、３３  歯付き無端ベルト、３５  固定部、３７  本体部、３９  カバー装置、４１  収容部、４３  回動軸、
４５  バネ部材、４７  切り欠き部、４９  立ち上げ部、５１  切り欠き部の後向きの面、５３  突起部、５５  立ち上げ部の前向きの面、５７  係合凹部、
５９  切り欠き部の側面、６０  被係合部、６１  凸部、６２  凸部の下面、
６３  立ち上げ部の内面、６４  内面の上部、６５  最上部、６７  矢印、６９  矢印、Ｃ  インクカートリッジ、Ｐ  被記録媒体
【図１】
2006007734.tif 000003
【図２】
2006007734.tif 000004
【図３】
2006007734.tif 000005
【図４】
2006007734.tif 000006
【図５】
2006007734.tif 000007
【図６】
2006007734.tif 000008